(57)【要約】【課題】電力又は動力と、熱エネルギーとを供給することができる併給システムを備える場合において、供給される熱エネルギーの温度変動に応じた制御を実行することが可能な併用システムを提供する。【解決手段】併用システム１は、ハイブリッドソーラーパネルＰＶＴと、電動熱移送システムＥＨＰと、熱動熱移送システムＡＣＳと、選択制御部Ｃ１とを備えている。電動熱移送システムＥＨＰはハイブリッドソーラーパネルＰＶＴから電気の供給を受けて駆動し、冷熱供給部ＣＳＥから温熱供給部ＨＳＥへ熱移送させる。熱動熱移送システムＡＣＳは駆動熱を受領して冷熱供給部ＣＳＡから温熱供給部ＨＳＡへ熱移送させる。選択制御部Ｃ１は、ハイブリッドソーラーパネルＰＶＴからの熱媒を電動熱移送システムＥＨＰ及び熱動熱移送システムＡＣＳの少なくとも一方に供給する１３つの運転モードのうち、いずれか１つを熱媒の温度に応じて自動選択する。【選択図】図１
2018004110.tif 000002
【特許請求の範囲】
【請求項１】
電気又は動力からなる第１エネルギーを供給すると共に温度変動する熱エネルギーである第２エネルギーを供給する併給システムと、
前記併給システムから第１エネルギーの供給を受けて駆動し、冷熱供給部から温熱供給部へ熱移送させる第１熱移送システムと、
駆動熱を受領して冷熱供給部から温熱供給部へ熱移送させる第２熱移送システムと、
前記併給システムからの第２エネルギーを前記第１熱移送システム及び前記第２熱移送システムの少なくとも一方に供給する少なくとも３つの運転モードのうち、いずれか１つを第２エネルギーの温度に応じて自動選択する選択制御部と、
前記選択制御部により自動選択された運転モードに応じた運転を実行させる運転制御部と、
を備えることを特徴とする併用システム。
【請求項２】
前記少なくとも３つの運転モードのうち少なくとも１つは、前記第１熱移送システムと前記第２熱移送システムとの間において、熱エネルギーの授受を行うモードである
ことを特徴とする請求項１に記載の併用システム。
【請求項３】
前記少なくとも３つの運転モードには、前記第１熱移送システムの冷熱供給部の液体が冷房に使用される場合、当該冷熱供給部の液体を大気との熱交換により昇温させる場合、当該冷熱供給部の液体を前記併給システム側に供給して昇温させる場合、及び、当該冷熱供給部の液体を前記第２熱移送システムに供給して昇温させる場合の４つのうち、少なくとも２つの場合が含まれている
ことを特徴とする請求項１又は請求項２のいずれかに記載の併用システム。
【請求項４】
前記少なくとも３つの運転モードには、前記第１熱移送システムの温熱供給部の液体が暖房に使用される場合、当該温熱供給部の液体を前記第２熱移送システムの駆動熱受領部に供給する場合、当該温熱供給部の液体を前記第２熱移送システムの低温熱源として供給する場合、当該温熱供給部の液体を前記併給システム側に供給する場合、及び当該温熱供給部の液体を大気との熱交換により降温させる場合の５つのうち、少なくとも２つの場合が含まれている
ことを特徴とする請求項１又は請求項２のいずれかに記載の併用システム。
【請求項５】
前記少なくとも３つの運転モードには、前記第２熱移送システムの冷熱供給部の液体が冷房に使用される場合、当該冷熱供給部の液体を大気との熱交換により昇温させる場合、当該冷熱供給部の液体を前記併給システム側に供給して昇温させる場合、及び、当該冷熱供給部の液体を前記第１熱移送システムに供給して昇温させる場合の４つのうち、少なくとも２つの場合が含まれている
ことを特徴とする請求項１又は請求項２のいずれかに記載の併用システム。
【請求項６】
前記少なくとも３つの運転モードには、前記第２熱移送システムの温熱供給部の液体が暖房に使用される場合、当該温熱供給部の液体を前記第１熱移送システムの冷熱供給部に供給する場合、当該温熱供給部の液体を前記併給システム側に供給する場合、及び当該温熱供給部の液体を大気との熱交換により降温させる場合の４つのうち、少なくとも２つの場合が含まれている
ことを特徴とする請求項１又は請求項２のいずれかに記載の併用システム。
【請求項７】
前記第１熱移送システムの冷熱供給部の液体を冷房に利用する第１冷房部と、前記第２熱移送システムの冷熱供給部の液体を冷房に利用する第２冷房部とを有した室内ユニットを更に備え、
前記少なくとも３つの運転モードには、前記室内ユニットのうち前記第１及び第２冷房部の液体温度を５度差以上とする運転モードを含む
ことを特徴とする請求項１から請求項６のいずれか１項に記載の併用システム。
【請求項８】
室温を検出するための室温センサと、
前記第２エネルギーの温度を検出するためのエネルギー温度センサと、
気温を検出するための大気温センサと、を更に備え、
前記併給システムは、電気からなる第１エネルギーを生成して供給するものであり、
前記選択制御部は、前記室温センサ、前記エネルギー温度センサ、及び前記大気温センサの検出結果と、前記併給システムにより生成された電力量とに基づいて、前記少なくとも３つの運転モードから、いずれか１つを自動選択する
ことを特徴とする請求項１から請求項７のいずれか１項に記載の併用システム。
【請求項９】
前記併給システムは、太陽光を利用して電気を生成のうえ供給すると共に太陽熱により熱媒を加熱して供給するハイブリッドソーラーパネルである
ことを特徴とする請求項１から請求項８のいずれか１項に記載の併用システム。
【発明の詳細な説明】
【技術分野】
【０００１】
本発明は、併用システムに関する。
【背景技術】
【０００２】
太陽熱を利用して加熱された熱媒を、吸収式冷凍機の駆動に用いる太陽熱利用システムが提案されている（例えば特許文献１参照）。また、太陽熱を利用して加熱された熱媒により貯湯槽内の湯水を加熱し、貯湯槽内の温水を吸収式冷凍機の駆動に用いる太陽熱利用システムについても提案されている（例えば特許文献２参照）。これらの太陽熱利用システムでは、太陽熱を利用して吸収式冷凍機を駆動することができ、化石燃料等の使用を抑えることができる。
【０００３】
さらに、特許文献２に記載のシステムは、圧縮式ヒートポンプについても備えており、貯湯槽内の温水を利用した熱交換により圧縮式ヒートポンプにて冷水を得て冷房利用する構成となっている。
【先行技術文献】
【特許文献】
【０００４】
【特許文献１】特開２０１０−１４３２８号公報
【特許文献２】特開２００４−２１１９７９号公報
【発明の概要】
【発明が解決しようとする課題】
【０００５】
本件発明者は、特許文献２に記載のように、圧縮式ヒートポンプ等の冷熱供給部から温熱供給部へ熱移送させる第１熱移送システムと、吸収式冷凍機等の駆動熱を受領して冷熱供給部から温熱供給部へ熱移送させる第２熱移送システムとを備える併用システムについて開発を行っている。ここで、圧縮式ヒートポンプ等の第１熱移送システムは駆動に電力又は動力を要する。また、吸収式冷凍機、吸収式ヒートポンプ及び吸着式冷凍機等の第２熱移送システムの駆動にはある程度の温度以上の駆動熱を供給する必要がある。このため、併用システムに対して、電力又は動力と、熱エネルギーとを供給することができる併給システム（例えばハイブリッドソーラーパネル、風車や水車の動力と太陽熱集熱器との組み合わせなど）を用いることを検討している。
【０００６】
しかし、特許文献１に記載の太陽熱利用システムでは、熱媒が８０度まで加熱されない場合には、吸収式冷凍機等の駆動（第２熱移送システムの駆動）が困難となってしまう。例えば吸収式冷凍機等の冷房運転を行う場合、十分に温度が低い冷水を得るためには最低でも熱媒温度は６０度を要するが容量が著しく低下するという欠点がある。このため、現実的に熱媒は７５度程度以下において吸収式冷凍機等の駆動に利用されることはなく、これ以上の温度が得られない場合には吸収式冷凍機等の駆動に利用できなくなってしまう。また、特許文献２に記載の太陽熱利用システムにおいても、貯湯槽内の温水温度が朝方に低下することから、上記と同様に、吸収式冷凍機等の駆動が困難となってしまう場合がある。さらに、冷房運転に限らず暖房運転においても同様に熱媒温度によっては吸収式冷凍機等の駆動が困難となってしまう。
【０００７】
このように、特許文献１，２に記載のシステムでは、熱媒温度という熱エネルギー温度の変動に対応することが困難なシステムとなっている。
【０００８】
本発明は、このような問題を解決するためになされたものであり、その目的とするところは、電力又は動力と、熱エネルギーとを生成して供給することができる併給システムを備える場合において、供給される熱エネルギーの温度変動に応じた制御を実行することが可能な併用システムを提供することにある。
【課題を解決するための手段】
【０００９】
本発明の併用システムは、併給システムと、第１熱移送システムと、第２熱移送システムと、選択制御部とを備えている。併給システムは、電気又は動力からなる第１エネルギーを供給すると共に温度変動する熱エネルギーである第２エネルギーを供給する。第１熱移送システムは併給システムから第１エネルギーの供給を受けて駆動し、冷熱供給部から温熱供給部へ熱移送させる。第２熱移送システムは駆動熱を受領して冷熱供給部から温熱供給部へ熱移送させる。選択制御部は、併給システムからの第２エネルギーを第１熱移送システム及び第２熱移送システムの少なくとも一方に供給する少なくとも３つの運転モードのうち、いずれか１つを第２エネルギーの温度に応じて自動選択する。
【発明の効果】
【００１０】
本発明によれば、第２エネルギー温度に応じた３つ以上の運転モードから、適切なものが選択可能となり、電力又は動力と、熱エネルギーとを供給することができる併給システムを備える場合において、供給される熱エネルギーの温度変動に応じた制御を実行することができる。
【図面の簡単な説明】
【００１１】
【図１】本発明の実施形態に係る併用システムを示す構成図である。
【図２】本実施形態に係る併用システムにおける運転モードの自動選択処理を示すフローチャートであって、冷房運転時における自動選択処理を示している。
【図３】第１運転モードにおける熱媒、温水及び冷水の流れを示す状態図である。
【図４】第２運転モードにおける熱媒、温水及び冷水の流れを示す状態図である。
【図５】第３運転モードにおける熱媒、温水及び冷水の流れを示す状態図である。
【図６】第４運転モードにおける熱媒、温水及び冷水の流れを示す状態図である。
【図７】第５運転モードにおける熱媒、温水及び冷水の流れを示す状態図である。
【図８】第６運転モードにおける熱媒、温水及び冷水の流れを示す状態図である。
【図９】第７運転モードにおける熱媒、温水及び冷水の流れを示す状態図である。
【図１０】冷房運転時の各運転モードにおける各部位の液体温度を示す図である。
【図１１】本実施形態に係る併用システムにおける運転モードの自動選択処理を示すフローチャートであって、暖房運転時における自動選択処理を示している。
【図１２】第８運転モードにおける熱媒、温水及び冷水の流れを示す状態図である。
【図１３】第９運転モードにおける熱媒、温水及び冷水の流れを示す状態図である。
【図１４】第１０運転モードにおける熱媒、温水及び冷水の流れを示す状態図である。
【図１５】第１１運転モードにおける熱媒、温水及び冷水の流れを示す状態図である。
【図１６】第１２運転モードにおける熱媒、温水及び冷水の流れを示す状態図である。
【図１７】第１３運転モードにおける熱媒、温水及び冷水の流れを示す状態図である。
【図１８】第１４運転モードにおける熱媒、温水及び冷水の流れを示す状態図である。
【図１９】第１５運転モードにおける熱媒、温水及び冷水の流れを示す状態図である。
【図２０】第１６運転モードにおける熱媒、温水及び冷水の流れを示す状態図である。
【図２１】第１７運転モードにおける熱媒、温水及び冷水の流れを示す状態図である。
【図２２】暖房運転時の各運転モードにおける各部位の液体温度を示す図である。
【図２３】室内ユニットの変形例を示す図である。
【図２４】変形例に係る併用システムを示す構成図である。
【発明を実施するための形態】
【００１２】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１３】
図１は、本発明の実施形態に係る併用システムを示す構成図である。図１に示すように、併用システム１は、ハイブリッドソーラーパネル（併給システム）ＰＶＴと、圧縮式ヒートポンプからなる電動熱移送システム（第１熱移送システム）ＥＨＰと、吸収式冷凍機からなる熱動熱移送システム（第２熱移送システム）ＡＣＳと、室内ユニットＩＣと、屋外ラジエータＯＲと、パワーコントローラーＰＣと、配電盤ＳＷＢＤと、各種搬送ポンプＰ１〜Ｐ５と、各種配管Ｒ１〜Ｒ４０と、各種電磁方向弁Ｖ１〜Ｖ２０と、複数の温度センサＴ１〜Ｔ３と、制御部Ｃとを備えている。
【００１４】
ハイブリッドソーラーパネルＰＶＴは、電気からなる第１エネルギーを生成して供給すると共に温度変動する熱エネルギーである第２エネルギーを生成して供給するものであって、太陽電池ＳＣと、集熱パネルＨＣとから構成されている。太陽電池ＳＣは、太陽光を利用して電気からなる第１エネルギーを生成するものであり、集熱パネルＨＣは、太陽熱により熱媒を加熱することで熱エネルギーである第２エネルギーを生成するものである。この集熱パネルＨＣによる熱媒加熱温度は、夏季及び冬季などの日照時間の差異や天候の差異に応じて、変化する傾向にある。このため、集熱パネルＨＣは、温度変動する熱エネルギーである第２エネルギーを生成して供給するものといえる。
【００１５】
なお、本実施形態ではハイブリッドソーラーパネルＰＶＴを併給システムの例に説明するが、併給システムは、ハイブリッドソーラーパネルＰＶＴに限らず、例えば動力からなる第１エネルギーを生成して供給すると共に温度変動する熱エネルギーである第２エネルギーを生成して供給するものであってもよい。この場合、例えば第１エネルギーの生成には、風車や水車など風力や水力が利用され、第２エネルギーの生成には、上記と同様に集熱パネルＨＣが利用される。
【００１６】
また、第１エネルギー及び第２エネルギーは併給システムによって生成される場合に限らない。例えば、併給システムは、グリッド電源から電気を第１エネルギーとして供給するものと、後述の図２４に示すように貯湯槽ＨＷＴの温水（熱エネルギー）を第２エネルギーとして供給するものであってもよい。
【００１７】
電動熱移送システムＥＨＰは、ハイブリッドソーラーパネルＰＶＴから第１エネルギーの供給を受けて駆動し、その冷熱供給部ＣＳＥから温熱供給部ＨＳＥへ熱移送させるものである。詳細にハイブリッドソーラーパネルＰＶＴの太陽電池ＳＣにて生成された電気は、パワーコントローラーＰＣ及び配電盤ＳＷＢＤを通じて、電動熱移送システムＥＨＰのモータＭに供給される。このモータＭにより圧縮器が駆動することとなり、冷熱供給部ＣＳＥから温熱供給部ＨＳＥへの熱移送が実現される。なお、本実施形態において電動熱移送システムＥＨＰは、圧縮式ヒートポンプを想定しているが、適用可能であれば他のものが用いられてもよい。さらに、電動式に限らず、第１エネルギーとして動力が供給される場合には機動式のものであってもよい。
【００１８】
熱動熱移送システムＡＣＳは、駆動熱を駆動熱受領部ＤＨＰにて受領して、その冷熱供給部ＣＳＡから温熱供給部ＨＳＡへ熱移送させるものである。ここで、本実施形態において熱動熱移送システムＡＣＳは、吸収式冷凍機を想定していることから、駆動熱受領部ＤＨＰにて受領した駆動熱は再生器における溶液加熱に用いられることとなる。なお、熱動熱移送システムＡＣＳは、冷房運転時において吸収式冷凍機として機能するが、暖房運転時には吸収式ヒートポンプとして機能する。具体的に説明すると、大気温度が１５度以上であれば、吸収式冷凍機を第一種吸収式ヒートポンプとして運転することができる。このとき、冷房運転において室内ユニットＩＣに接続されていた冷水配管（冷熱供給部）は暖房運転において屋外ラジエータＯＲに接続され、冷房運転において屋外ラジエータＯＲに接続されていた温水配管（温熱供給部）は暖房運転において室内ユニットＩＣに接続される。さらに、熱動熱移送システムＡＣＳは、吸収式冷凍機（冷房時）や吸収式ヒートポンプ（暖房時）に限らず、吸着式冷凍機など適用可能であれば他のものが用いられてもよい。
【００１９】
室内ユニットＩＣは、室内空調用のファンコイルユニットや輻射パネルであって、冷水や温水の供給によって冷房効果及び暖房効果を発揮するものである。屋外ラジエータＯＲは、大気との熱交換により放熱効果又は集熱効果を発揮するものである。
【００２０】
各種配管Ｒ１〜Ｒ４０は、ハイブリッドソーラーパネルＰＶＴの集熱パネルＨＣと、電動熱移送システムＥＨＰと、熱動熱移送システムＡＣＳと、室内ユニットＩＣと、屋外ラジエータＯＲとを接続する配管である。これら配管Ｒ１〜Ｒ４０に流れる液体は、全て同一種の不凍液となっている。また、これら配管Ｒ１〜Ｒ４０上には、搬送ポンプＰ１〜Ｐ５と、電磁方向弁Ｖ１〜Ｖ２０とが設けられている。第１〜第２０電磁方向弁Ｖ１〜Ｖ２０のうち第７及び第８電磁方向弁Ｖ７，Ｖ８は四方弁であり、他は三方弁である。
【００２１】
より詳細に説明すると、集熱パネルＨＣの出口から熱動熱移送システムＡＣＳの駆動熱受領部ＤＨＰの入口までは、第１〜第４配管Ｒ１〜Ｒ４にて接続されており、駆動熱受領部ＤＨＰの出口から集熱パネルＨＣの入口までは、第５〜第８配管Ｒ５〜Ｒ８にて接続されている。また、第１及び第２配管Ｒ１，Ｒ２の間には第１電磁方向弁Ｖ１が設けられており、第２及び第３配管Ｒ２，Ｒ３の間には第２電磁方向弁Ｖ２が設けられており、第３及び第４配管Ｒ３，Ｒ４の間には第３電磁方向弁Ｖ３が設けられている。さらに、第５及び第６配管Ｒ５，Ｒ６の間には第４電磁方向弁Ｖ４が設けられており、第６及び第７配管Ｒ６，Ｒ７の間には第５電磁方向弁Ｖ５が設けられており、第７及び第８配管Ｒ７，Ｒ８の間には第６電磁方向弁Ｖ６が設けられている。また、第１搬送ポンプＰ１は第１配管Ｒ１上に設けられている。
【００２２】
電動熱移送システムＥＨＰの温熱供給部ＨＳＥの出口から熱動熱移送システムＡＣＳの冷熱供給部ＣＳＡの入口までは、第１２及び第９配管Ｒ１２，Ｒ９にて接続されており、熱動熱移送システムＡＣＳの冷熱供給部ＣＳＡの出口から電動熱移送システムＥＨＰの温熱供給部ＨＳＥの入口までは、第１０及び第１１配管Ｒ１０，Ｒ１１にて接続されている。第１２及び第９配管Ｒ１２，Ｒ９の間には第７電磁方向弁Ｖ７が設けられており、第１０及び第１１配管Ｒ１０，Ｒ１１の間には第８電磁方向弁Ｖ８が設けられている。また、第２搬送ポンプＰ２は第９配管Ｒ９上に設けられ、第５搬送ポンプＰ５は第１１配管Ｒ１１上に設けられている。
【００２３】
熱動熱移送システムＡＣＳの温熱供給部ＨＳＡの出口から室内ユニットＩＣの入口までは、第１３〜第１５配管Ｒ１３〜Ｒ１５にて接続されており、室内ユニットＩＣの出口から熱動熱移送システムＡＣＳの温熱供給部ＨＳＡの入口までは、第１６〜第１８配管Ｒ１６〜Ｒ１８にて接続されている。また、第１３及び第１４配管Ｒ１３，Ｒ１４の間には第９電磁方向弁Ｖ９が設けられており、第１４及び第１５配管Ｒ１４，Ｒ１５の間には第１０電磁方向弁Ｖ１０が設けられている。さらに、第１６及び第１７配管Ｒ１６，Ｒ１７の間には第１１電磁方向弁Ｖ１１が設けられており、第１７及び第１８配管Ｒ１７，Ｒ１８の間には第１２電磁方向弁Ｖ１２が設けられている。また、第３搬送ポンプＰ３は第１８配管Ｒ１８上に設けられている。
【００２４】
屋外ラジエータＯＲの出口から電動熱移送システムＥＨＰの冷熱供給部ＣＳＥの入口までは、第３１及び第３２配管Ｒ３１，Ｒ３２にて接続されており、電動熱移送システムＥＨＰの冷熱供給部ＣＳＥの出口から屋外ラジエータＯＲの入口までは、第３３及び第３４配管Ｒ３３，Ｒ３４にて接続されている。第３１及び第３２配管Ｒ３１，Ｒ３２の間には第１３電磁方向弁Ｖ１３が設けられており、第３３及び第３４配管Ｒ３３，Ｒ３４の間には第１４電磁方向弁Ｖ１４が設けられている。また、第４搬送ポンプＰ４は第３２配管Ｒ３２上に設けられている。
【００２５】
第９電磁方向弁Ｖ９から第１３電磁方向弁Ｖ１３までは、第２５及び第２７配管Ｒ２５，Ｒ２７にて接続されており、第１２電磁方向弁Ｖ１２から第１４電磁方向弁Ｖ１４までは、第２６及び第２８配管Ｒ２６，Ｒ２８にて接続されている。第２５及び第２７配管Ｒ２５，Ｒ２７の間には第２０電磁方向弁Ｖ２０が設けられており、第２６及び第２８配管Ｒ２６，Ｒ２８の間には第１９電磁方向弁Ｖ１９が設けられている。
【００２６】
第１０電磁方向弁Ｖ１０から第２７配管Ｒ２７の中間位置までは、第２０、第２２、及び第３０配管Ｒ２０，Ｒ２２，Ｒ３０にて接続されており、第１１電磁方向弁Ｖ１１から第２８配管Ｒ２８の中間位置までは、第１９、第２１、及び第２９配管Ｒ１９，Ｒ２１，Ｒ２９にて接続されている。また、第２０及び第２２配管Ｒ２０，Ｒ２２の間には第１７電磁方向弁Ｖ１７が設けられており、第２２及び第３０配管Ｒ２２，Ｒ３０の間には第１５電磁方向弁Ｖ１５が設けられている。さらに、第１９及び第２１配管Ｒ１９，Ｒ２１の間には第１８電磁方向弁Ｖ１８が設けられており、第２１及び第２９配管Ｒ２１，Ｒ２９の間には第１６電磁方向弁Ｖ１６が設けられている。
【００２７】
第１電磁方向弁Ｖ１から第１６電磁方向弁Ｖ１６までは、第２３配管Ｒ２３にて接続されており、第６電磁方向弁Ｖ６から第１５電磁方向弁Ｖ１５までは、第２４配管Ｒ２４にて接続されている。第２電磁方向弁Ｖ２から第１８電磁方向弁Ｖ１８までは、第３５配管Ｒ３５にて接続されており、第５電磁方向弁Ｖ５から第１７電磁方向弁Ｖ１７までは、第４０配管Ｒ４０にて接続されている。第３電磁方向弁Ｖ３から第２０電磁方向弁Ｖ２０までは、第３６及び第３７配管Ｒ３６，Ｒ３７にて接続されており、第４電磁方向弁Ｖ４から第１９電磁方向弁Ｖ１９までは、第３８及び第３９配管Ｒ３８，Ｒ３９にて接続されている。第３６及び第３７配管Ｒ３６，Ｒ３７の間には、上記した第７電磁方向弁Ｖ７が設けられ、第３８及び第３９配管Ｒ３８，Ｒ３９の間には、上記した第８電磁方向弁Ｖ８が設けられている。
【００２８】
複数の温度センサＴ１〜Ｔ３は、室温を検出するための室温センサＴ１と、第２エネルギーである熱媒温度を検出するためのエネルギー温度センサＴ２と、気温を検出するための大気温センサＴ３とから構成されている。また、図示を省略するが、エネルギー温度センサＴ２は、第１配管Ｒ１上に設けられており、第１配管Ｒ１を流れる熱媒温度を検出する。
【００２９】
また、本実施形態においては複数の電磁方向弁Ｖ１〜Ｖ２０を切り替えることによって、ハイブリッドソーラーパネルＰＶＴの集熱パネルＨＣにて得られた熱エネルギー（第２エネルギー）を、電動熱移送システムＥＨＰ及び熱動熱移送システムＡＣＳの少なくとも一方に供給する１３つの運転モード（少なくとも３つの運転モードの一例であって、後述の図３〜７，９，１３，１５，１７〜２１の運転モード）と、双方に供給しない４つの運転モード（後述の図８，１２，１４，１６の運転モード）とを実行可能となっている。
【００３０】
制御部Ｃは、選択制御部Ｃ１と、運転制御部Ｃ２とを備えている。選択制御部Ｃ１は、上記１３つの運転モードと４つの運転モードのうちから、いずれか１つを自動選択するものである。ここで、選択制御部Ｃ１は、第２エネルギーの温度（エネルギー温度センサＴ２の検出結果）に応じて、いずれか１つの運転モードを自動選択する。より詳細に選択制御部Ｃ１は、室温センサＴ１、エネルギー温度センサＴ２及び大気温センサＴ３の検出結果と、供給される電力量（本実施形態では併給システムがハイブリッドソーラーパネルＰＶＴであるため、パワーコントローラーＰＣにて検出される太陽電池ＳＣの発電量）とに基づいて、いずれか１つを自動選択する。運転制御部Ｃ２は、選択制御部Ｃ１により自動選択された運転モードに応じた運転を実行する。すなわち、運転制御部Ｃ２は、各種電磁方向弁Ｖ１〜Ｖ２０を制御すると共に、各搬送ポンプＰ１〜Ｐ５の運転等を制御することとなる。
【００３１】
図２は、本実施形態に係る併用システム１における運転モードの自動選択処理を示すフローチャートであって、冷房運転時における自動選択処理を示している。まず、図２に示すように、選択制御部Ｃ１は、エネルギー温度センサＴ２からの信号に基づいて、熱媒供給温度が７０度（第１温度）以上であるかを判断する（Ｓ１）。熱媒供給温度が７０度以上であると判断した場合（Ｓ１：ＹＥＳ）、選択制御部Ｃ１は、熱動熱移送システムＡＣＳを運転し、冷熱供給部ＣＳＡの冷水を室内ユニットＩＣに供給して冷房運転し、温熱供給部ＨＳＡの温水を屋外ラジエータＯＲに供給して大気放熱する運転モード（後述の第１〜第３運転モード）を選択すべきと判断する。
【００３２】
次いで、選択制御部Ｃ１は、冷房需要が熱動熱移送システムＡＣＳによる冷房能力以下であるかを判断する（Ｓ２）。ここで、冷房需要は、室温センサＴ１の検出温度と、制御部Ｃに設定される冷房目標温度（設定温度）との関係から、制御部Ｃによって算出される。
【００３３】
冷房需要が熱動熱移送システムＡＣＳによる冷房能力以下であると判断した場合（Ｓ２：ＹＥＳ）、選択制御部Ｃ１は、第１運転モードを自動選択する（Ｓ３）。そして、図２に示す処理は終了する。
【００３４】
図３は、第１運転モードにおける熱媒、温水及び冷水の流れを示す状態図である。図３に示すように、第１運転モードでは、集熱パネルＨＣにて加熱された熱媒が、熱動熱移送システムＡＣＳの駆動熱受領部ＤＨＰを介して集熱パネルＨＣに戻るように循環している。また、熱動熱移送システムＡＣＳの冷熱供給部ＣＳＡの冷水は室内ユニットＩＣに供給されて冷房に利用され、温熱供給部ＨＳＡの温水は屋外ラジエータＯＲに供給されて放熱される。この第１運転モードは、電力の消費が大変少ないため、空調に十分な熱媒温度と熱量が得られる場合に、太陽電池ＳＣの発生電力を極力他の需要に回すことができる。
【００３５】
図１０は、冷房運転時の各運転モードにおける各部位の液体温度を示す図である。第１運転モードにおける各部位の液体温度は図１０に示す通りである。
【００３６】
再度図２を参照する。冷房需要が熱動熱移送システムＡＣＳによる冷房能力以下でないと判断した場合（Ｓ２：ＮＯ）、選択制御部Ｃ１は、大気温センサＴ３からの信号に基づいて、外気温度が２５度（第２温度）以上であるかを判断する（Ｓ４）。外気温度が２５度以上であると判断した場合（Ｓ４：ＹＥＳ）、選択制御部Ｃ１は、第２運転モードを自動選択する（Ｓ５）。そして、図２に示す処理は終了する。
【００３７】
図４は、第２運転モードにおける熱媒、温水及び冷水の流れを示す状態図である。図４に示すように、第２運転モードでは、第１運転モードの状態に加えて、電動熱移送システムＥＨＰが運転している。電動熱移送システムＥＨＰの冷熱供給部ＣＳＥの冷水は室内ユニットＩＣに供給されて冷房に利用され、温熱供給部ＨＳＥの温水は熱動熱移送システムＡＣＳの駆動熱受領部ＤＨＰに供給される。この第２運転モードは、熱動熱移送システムＡＣＳが極力全負荷で運転し、それで空調需要を満たせない場合に必要な分だけ電動熱移送システムＥＨＰを部分負荷で回し、太陽電池ＳＣの発生電力を余らせる運転をすることができる。第２運転モードにおける各部位の液体温度は図１０に示す通りである。
【００３８】
再度図２を参照する。外気温度が２５度以上でないと判断した場合（Ｓ４：ＮＯ）、選択制御部Ｃ１は、第３運転モードを自動選択する（Ｓ６）。そして、図２に示す処理は終了する。
【００３９】
図５は、第３運転モードにおける熱媒、温水及び冷水の流れを示す状態図である。図５に示すように、第３運転モードでは、第１運転モードの状態に加えて、電動熱移送システムＥＨＰが運転している。電動熱移送システムＥＨＰの冷熱供給部ＣＳＥの冷水は室内ユニットＩＣに供給されて冷房に利用され、温熱供給部ＨＳＥの温水は屋外ラジエータＯＲに供給されて大気との熱交換により放熱される。この第３運転モードは、外気温が高くない場合には電動熱移送システムＥＨＰで副生する温水の温度を外気温を１０度程度上回る程度に抑えることによって、図４に示す第２運転モードと比較し消費電力を抑えることができる。第３運転モードにおける各部位の液体温度は図１０に示す通りである。
【００４０】
再度図２を参照する。熱媒供給温度が７０度以上でないと判断した場合（Ｓ１：ＮＯ）、選択制御部Ｃ１は、熱媒供給温度が６０度（第３温度）以上であるかを判断する（Ｓ７）。熱媒供給温度が６０度以上であると判断した場合（Ｓ７：ＹＥＳ）、選択制御部Ｃ１は、第４運転モードを自動選択する（Ｓ８）。そして、図２に示す処理は終了する。
【００４１】
図６は、第４運転モードにおける熱媒、温水及び冷水の流れを示す状態図である。図６に示すように、第４運転モードでは、集熱パネルＨＣにて加熱された熱媒が、電動熱移送システムＥＨＰの冷熱供給部ＣＳＥを介して集熱パネルＨＣに戻るように循環している。また、電動熱移送システムＥＨＰの温熱供給部ＨＳＥの温水は熱動熱移送システムＡＣＳの駆動熱受領部ＤＨＰに供給され、熱動熱移送システムＡＣＳの冷熱供給部ＣＳＡの冷水は室内ユニットＩＣに供給されて冷房に利用される。熱動熱移送システムＡＣＳの温熱供給部ＨＳＡの温水は屋外ラジエータＯＲに供給されて放熱される。この第４運転モードは、熱媒温度が上がりきらず、そのままでは熱動熱移送システムＡＣＳの駆動ができない時でも運転することができる。第４運転モードにおける各部位の液体温度は図１０に示す通りである。
【００４２】
再度図２を参照する。熱媒供給温度が６０度以上でないと判断した場合（Ｓ７：ＮＯ）、選択制御部Ｃ１は、現在が朝の時間帯であるかを判断する（Ｓ９）。ここで、朝の時間帯とは、例えば午前５時から午前８時まで等である。現在が朝の時間帯であると判断した場合（Ｓ９：ＹＥＳ）、選択制御部Ｃ１は、第５運転モードを自動選択する（Ｓ１０）。そして、図２に示す処理は終了する。
【００４３】
図７は、第５運転モードにおける熱媒、温水及び冷水の流れを示す状態図である。図７に示すように、第５運転モードでは、電動熱移送システムＥＨＰのみが運転しており、冷熱供給部ＣＳＥの冷水が室内ユニットＩＣに供給されて冷房に利用されている。一方、電動熱移送システムＥＨＰの温熱供給部ＨＳＥの温水は、ハイブリッドソーラーパネルＰＶＴ側に供給されている。すなわち、電動熱移送システムＥＨＰの運転で副生する温水により、集熱パネルＨＣ側が加熱される構成となっている。特に、後述の図２４のように、電動熱移送システムＥＨＰとハイブリッドソーラーパネルＰＶＴとの間に貯湯槽ＨＷＴを備える場合には、第５運転モードの運転によって、貯湯槽ＨＷＴ内の湯水を加熱することができる。すなわち、第５運転モードは、数時間後の熱媒温度が熱動熱移送システムＡＣＳの駆動ができる温度に達すると予想される朝、電動熱移送システムＥＨＰによる冷房運転を行う時にはその排熱を大気に廃棄せずに貯蔵しておくことができる。なお、第５運転モードにおいては、第１搬送ポンプＰ１が他の運転モードと逆回転させられる。第５運転モードにおける各部位の液体温度は図１０に示す通りである。
【００４４】
ここで、第５運転モードにおいて、電動熱移送システムＥＨＰの温熱供給部ＨＳＥの温水は、より高温まで温められて熱動熱移送システムＡＣＳの駆動熱受領部ＤＨＰに供給されてもよい。この場合、熱動熱移送システムＡＣＳの冷熱供給部ＣＳＡの冷水が室内ユニットＩＣに供給されて冷房に利用され、温熱供給部ＨＳＡの温水がハイブリッドソーラーパネルＰＶＴ側に供給されることとなる。
【００４５】
再度図２を参照する。現在が朝の時間帯でないと判断した場合（Ｓ９：ＮＯ）、選択制御部Ｃ１は、第６運転モードを自動選択する（Ｓ１１）。そして、図２に示す処理は終了する。
【００４６】
図８は、第６運転モードにおける熱媒、温水及び冷水の流れを示す状態図である。図８に示すように、第６運転モードでは、電動熱移送システムＥＨＰのみが運転しており、冷熱供給部ＣＳＥの冷水が室内ユニットＩＣに供給されて冷房に利用されている。一方、電動熱移送システムＥＨＰの温熱供給部ＨＳＥの温水は、屋外ラジエータＯＲに供給されて放熱される。この第６運転モードは、電動熱移送システムＥＨＰのみの運転によって冷房を行いつつも、熱動熱移送システムＡＣＳの温熱供給部ＨＳＡの温水温度を図７に示す第５運転モードよりも昇温させずに電力消費を抑えることができる。第６運転モードにおける各部位の液体温度は図１０に示す通りである。
【００４７】
ここで、図２に示す例では、冷房需要が熱動熱移送システムＡＣＳによる冷房能力以下であると判断した場合（Ｓ２：ＹＥＳ）、選択制御部Ｃ１は、第１運転モードを自動選択しているが（Ｓ３）、これに代えて、以下の処理を行ってもよい。すなわち、冷房需要が熱動熱移送システムＡＣＳによる冷房能力以下であると判断した場合（Ｓ２：ＹＥＳ）、選択制御部Ｃ１は、外気温度が３５度以上であるかを判断し、３５度以上でない場合に第１運転モードを自動選択し、３５度以上である場合に第７運転モードを自動選択してもよい。
【００４８】
図９は、第７運転モードにおける熱媒、温水及び冷水の流れを示す状態図である。なお、図９に示す併用システム１は、図１に示した構成に加えて、第２１及び第２２電磁方向弁Ｖ２１，Ｖ２２を更に備えている。図９に示すように、第７運転モードでは、集熱パネルＨＣにて加熱された熱媒が、熱動熱移送システムＡＣＳの駆動熱受領部ＤＨＰを介して集熱パネルＨＣに戻るように循環している。熱動熱移送システムＡＣＳの冷熱供給部ＣＳＡの冷水は室内ユニットＩＣに供給されて冷房に利用される。また、熱動熱移送システムＡＣＳの温熱供給部ＨＳＡの温水は、電動熱移送システムＥＨＰの冷熱供給部ＣＳＥに供給される。電動熱移送システムＥＨＰの温熱供給部ＨＳＥの温水は屋外ラジエータＯＲに供給されて放熱される。第７運転モードは、熱動熱移送システムＡＣＳの温水温度が外気温より十分に高くなくそのままでは大気に熱を放出しづらい場合でも太陽熱を主体した冷房運転を行うことができる。この第７運転モードは、特に気温の高い地域で有効である。第７運転モードにおける各部位の液体温度は図１０に示す通りである。
【００４９】
図１１は、本実施形態に係る併用システム１における運転モードの自動選択処理を示すフローチャートであって、暖房運転時における自動選択処理を示している。まず、図１１に示すように、選択制御部Ｃ１は、エネルギー温度センサＴ２からの信号に基づいて、熱媒供給温度が４０度（第４温度）以上であるかを判断する（Ｓ２１）。熱媒供給温度が４０度以上であると判断した場合（Ｓ２１：ＹＥＳ）、暖房需要が供給熱量以下であるかを判断する（Ｓ２２）。ここで、暖房需要は、室温センサＴ１の検出温度と、制御部Ｃに設定される暖房目標温度（設定温度）との関係から、制御部Ｃによって算出される。また、供給熱量は、エネルギー温度センサＴ２からの信号と、第１搬送ポンプＰ１の回転数から求められる流量とから、制御部Ｃによって算出される。
【００５０】
暖房需要が供給熱量以下であると判断した場合（Ｓ２２：ＹＥＳ）、選択制御部Ｃ１は、第８運転モードを自動選択する（Ｓ２３）。そして、図１１に示す処理は終了する。
【００５１】
図１２は、第８運転モードにおける熱媒、温水及び冷水の流れを示す状態図である。図１２に示すように、第８運転モードでは、集熱パネルＨＣにて加熱された熱媒が、直接室内ユニットＩＣに供給されて暖房に利用される。この第８運転モードは、電力の消費が大変少ないため、空調に十分な熱媒温度と熱量が得られる場合に、太陽電池ＳＣの発生電力を極力他の需要に回すことができる。
【００５２】
図２２は、暖房運転時の各運転モードにおける各部位の液体温度を示す図である。第８運転モードにおける各部位の液体温度は図２２に示す通りである。
【００５３】
再度図１１を参照する。暖房需要が供給熱量以下でないと判断した場合（Ｓ２２：ＮＯ）、選択制御部Ｃ１は、エネルギー温度センサＴ２からの信号に基づいて、熱媒供給温度が７０度以上であるかを判断する（Ｓ２４）。熱媒供給温度が７０度以上であると判断した場合（Ｓ２４：ＹＥＳ）、選択制御部Ｃ１は、大気温センサＴ３からの信号に基づいて、外気温度が１５度以上であるかを判断する（Ｓ２５）。外気温度が１５度以上であると判断した場合（Ｓ２５：ＹＥＳ）、選択制御部Ｃ１は、第９運転モードを自動選択する（Ｓ２６）。そして、図１１に示す処理は終了する。
【００５４】
図１３は、第９運転モードにおける熱媒、温水及び冷水の流れを示す状態図である。図１３に示すように、第９運転モードでは、集熱パネルＨＣにて加熱された熱媒が、熱動熱移送システムＡＣＳの駆動熱受領部ＤＨＰを介して集熱パネルＨＣに戻るように循環している。熱動熱移送システムＡＣＳの冷熱供給部ＣＳＡの冷水は屋外ラジエータＯＲに供給されて大気との熱交換によって集熱される。温熱供給部ＨＳＡの温水は室内ユニットＩＣに供給されて暖房に利用される。また、電動熱移送システムＥＨＰが運転しており、電動熱移送システムＥＨＰの冷熱供給部ＣＳＥの冷水は屋外ラジエータＯＲに供給されて大気との熱交換によって集熱される。電動熱移送システムＥＨＰの温熱供給部ＨＳＥの温水は熱動熱移送システムＡＣＳの駆動熱受領部ＤＨＰに供給される。この第９運転モードは、大容量の暖房運転を行うことができる。第９運転モードにおける各部位の液体温度は図２２に示す通りである。
【００５５】
再度図１１を参照する。熱媒供給温度が７０度以上でないと判断した場合（Ｓ２４：ＮＯ）、又は、外気温度が１５度以上でないと判断した場合（Ｓ２５：ＮＯ）、選択制御部Ｃ１は、第１０運転モードを自動選択する（Ｓ２７）。そして、図１１に示す処理は終了する。
【００５６】
図１４は、第１０運転モードにおける熱媒、温水及び冷水の流れを示す状態図である。図１４に示すように、第１０運転モードでは、集熱パネルＨＣにて加熱された熱媒が、直接室内ユニットＩＣに供給されて暖房に利用される。さらに、電動熱移送システムＥＨＰが運転しており、電動熱移送システムＥＨＰの冷熱供給部ＣＳＥの冷水は屋外ラジエータＯＲに供給されて大気との熱交換によって集熱される。電動熱移送システムＥＨＰの温熱供給部ＨＳＥの温水は室内ユニットＩＣに供給されて暖房に利用される。第１０運転モードは、外気温度が低く熱動熱移送システムＡＣＳが大気集熱できない場合でも比較的容量の大きな暖房運転を行うことができる。第１０運転モードにおける各部位の液体温度は図２２に示す通りである。
【００５７】
再度図１１を参照する。熱媒供給温度が４０度以上でないと判断した場合（Ｓ２１：ＮＯ）、選択制御部Ｃ１は、エネルギー温度センサＴ２及び大気温センサＴ３からの信号に基づいて、熱媒供給温度が外気温度以上であるかを判断する（Ｓ２８）。熱媒供給温度が外気温度以上であると判断した場合（Ｓ２８：ＹＥＳ）、選択制御部Ｃ１は、第１１運転モードを自動選択する（Ｓ２９）。そして、図１１に示す処理は終了する。
【００５８】
図１５は、第１１運転モードにおける熱媒、温水及び冷水の流れを示す状態図である。図１５に示すように、第１１運転モードでは、集熱パネルＨＣにて加熱された熱媒が、電動熱移送システムＥＨＰの冷熱供給部ＣＳＥを介して集熱パネルＨＣに戻るように循環している。電動熱移送システムＥＨＰの温熱供給部ＨＳＥの温水は室内ユニットＩＣに供給されて暖房に利用される。第１１運転モードは、熱媒温度が上がりきらず、そのままでは直接暖房温水に利用することができない時でも省電力で暖房運転を行うことができる。第１１運転モードにおける各部位の液体温度は図２２に示す通りである。
【００５９】
再度図１１を参照する。熱媒供給温度が外気温度以上でないと判断した場合（Ｓ２８：ＮＯ）、選択制御部Ｃ１は、第１２運転モードを自動選択する（Ｓ３０）。そして、図１１に示す処理は終了する。
【００６０】
図１６は、第１２運転モードにおける熱媒、温水及び冷水の流れを示す状態図である。図１６に示すように、第１２運転モードでは、電動熱移送システムＥＨＰが運転しており、電動熱移送システムＥＨＰの冷熱供給部ＣＳＥの冷水は屋外ラジエータＯＲに供給されて大気との熱交換によって集熱される。電動熱移送システムＥＨＰの温熱供給部ＨＳＥの温水は室内ユニットＩＣに供給されて暖房に利用される。第１２運転モードは、外気温度が低く、且つ太陽熱が得られない時でも運転することができる。第１２運転モードにおける各部位の液体温度は図２２に示す通りである。
【００６１】
ここで、図１１に示す例においてステップＳ２６では第９運転モードが選択されているが、暖房需要、発電量、及び余剰させたい電力量の少なくとも１つに応じて、第１３運転モード又は第１４運転モードが選択されてもよい。
【００６２】
図１７は、第１３運転モードにおける熱媒、温水及び冷水の流れを示す状態図である。図１７に示すように、第１３運転モードでは、集熱パネルＨＣにて加熱された熱媒が、熱動熱移送システムＡＣＳの駆動熱受領部ＤＨＰを介して集熱パネルＨＣに戻るように循環している。熱動熱移送システムＡＣＳの冷熱供給部ＣＳＡの冷水は屋外ラジエータＯＲに供給されて大気との熱交換によって集熱される。温熱供給部ＨＳＡの温水は室内ユニットＩＣに供給されて暖房に利用される。第１３運転モードは、電力の消費が大変少ないため、空調に十分な熱媒温度と熱量が得られ、かつ外気温がある程度あって熱動熱移送システムＡＣＳによる大気集熱が可能である場合に、大きな暖房用温水熱量を供給しながら、極力電力を余らせる運転ができる。第１３運転モードにおける各部位の液体温度は図２２に示す通りである。
【００６３】
図１８は、第１４運転モードにおける熱媒、温水及び冷水の流れを示す状態図である。図１８に示すように、第１４運転モードでは、第１３運転モードの状態に加えて、電動熱移送システムＥＨＰが運転している。電動熱移送システムＥＨＰの冷熱供給部ＣＳＥの冷水は屋外ラジエータＯＲに供給されて大気との熱交換によって集熱され、温熱供給部ＨＳＥの温水は室内ユニットＩＣに供給されて暖房に利用される。この第１４運転モードは、第１３運転モードよりも電力消費量が大きくなるが第９運転モードよりも電力消費を抑えることができ、空調に十分な熱媒温度と熱量が得られ、かつ外気温がある程度あって熱動熱移送システムＡＣＳによる大気集熱が可能である場合に、第１３運転モードよりも大きな暖房用温水熱量を供給しながら、第９運転モードよりも電力を余らせる運転をすることができる。なお、第１４運転モードにおいては、第４搬送ポンプＰ４が他の運転モードと逆回転させられる。また、第１４運転モードにおける各部位の液体温度は図２２に示す通りである。
【００６４】
さらに、図１１に示す例においてステップＳ２７では第１０運転モードが選択されているが、熱媒供給温度が７０度以上であって（Ｓ２４：ＹＥＳ）、外気温度が１５度以上でない場合（Ｓ２５：ＮＯ）、第１０運転モードに代えて、第１５運転モードが選択されてもよい。
【００６５】
図１９は、第１５運転モードにおける熱媒、温水及び冷水の流れを示す状態図である。図１９に示すように、第１５運転モードでは、集熱パネルＨＣにて加熱された熱媒が、熱動熱移送システムＡＣＳの駆動熱受領部ＤＨＰを介して集熱パネルＨＣに戻るように循環している。熱動熱移送システムＡＣＳの温熱供給部ＨＳＡの温水は室内ユニットＩＣに供給されて暖房に利用され、熱動熱移送システムＡＣＳの冷熱供給部ＣＳＡの冷水は電動熱移送システムＥＨＰの温熱供給部ＨＳＥに供給される。電動熱移送システムＥＨＰの冷熱供給部ＣＳＥの冷水は屋外ラジエータＯＲに供給されて大気との熱交換によって集熱される。第１５運転モードは、外気温が低く熱動熱移送システムＡＣＳによる大気集熱が直接的には不可能である場合にも、極力電動熱移送システムＥＨＰに負荷をかけないまま、暖房用温水熱量を供給することができる。第１５運転モードにおける各部位の液体温度は図２２に示す通りである。
【００６６】
さらに、図１１に示す例においてステップＳ２７では第１０運転モードが選択されているが、熱媒供給温度が７０度以上でない場合（Ｓ２４：ＮＯ）において、暖房需要が所定値よりも低い場合に第１０運転モードが選択され、暖房需要が所定値以上である場合に第１６運転モードが選択されてもよい。
【００６７】
図２０は、第１６運転モードにおける熱媒、温水及び冷水の流れを示す状態図である。図２０に示すように、第１６運転モードでは、集熱パネルＨＣにて加熱された熱媒が、電動熱移送システムＥＨＰの冷熱供給部ＣＳＥを介して集熱パネルＨＣに戻るように循環している。電動熱移送システムＥＨＰの温熱供給部ＨＳＥの温水は、熱動熱移送システムＡＣＳの駆動熱受領部ＤＨＰに供給される。熱動熱移送システムＡＣＳの冷熱供給部ＣＳＡの冷水は屋外ラジエータＯＲに供給されて大気との熱交換によって集熱され、温熱供給部ＨＳＡの温水は直接室内ユニットＩＣに供給されて暖房に利用される。第１６運転モードは、外気温度が低く熱動熱移送システムＡＣＳが大気集熱できない場合に暖房運転できると共に、第１０運転モードよりも大容量運転を行うことができる。第１６運転モードにおける各部位の液体温度は図２２に示す通りである。
【００６８】
さらに、図１１に示す例においてステップＳ２９では第１１運転モードが選択されているが、発電量が多い場合や余剰させたい電力量が少ない場合や暖房需要が第１１運転モードよりも高い場合には、第１７運転モードが選択されてもよい。
【００６９】
図２１は、第１７運転モードにおける熱媒、温水及び冷水の流れを示す状態図である。図２１に示すように、第１７運転モードでは、集熱パネルＨＣにて加熱された熱媒が、熱動熱移送システムＡＣＳの冷熱供給部ＣＳＡを介して集熱パネルＨＣに戻るように循環している。電動熱移送システムＥＨＰの冷熱供給部ＣＳＥの冷水は屋外ラジエータＯＲに供給されて大気との熱交換によって集熱され、温熱供給部ＨＳＥの温水は熱動熱移送システムＡＣＳの駆動熱受領部ＤＨＰに供給される。熱動熱移送システムＡＣＳの温熱供給部ＨＳＡの温水は直接室内ユニットＩＣに供給されて暖房に利用される。第１７運転モードは、熱媒温度が上がりきらず、そのままでは直接暖房温水に利用することができない時でも比較的大容量の暖房運転を行うことができる。第１７運転モードにおける各部位の液体温度は図２２に示す通りである。
【００７０】
更には、上記した第２及び第３運転モードにおいて結露対策の観点から、室内ユニットＩＣを以下のように構成してもよい。図２３は、室内ユニットＩＣの変形例を示す図である。図２３に示すように、変形例に係る室内ユニットＩＣは、電動熱移送システムＥＨＰの冷熱供給部ＣＳＥの冷水を冷房に利用する第１冷房部ＩＣ１と、熱動熱移送システムＡＣＳの冷熱供給部ＣＳＡの冷水を冷房に利用する第２冷房部ＩＣ２とを有している。すなわち、電動熱移送システムＥＨＰの冷熱供給部ＣＳＥと、熱動熱移送システムＡＣＳの冷熱供給部ＣＳＡとが異なる配管によって別々に第１冷房部ＩＣ１と第２冷房部ＩＣ２とに接続され、個別に冷水が供給されるようになっている。加えて、この場合には、第２及び第３運転モードのいずれか１つの運転モードにおいて、第１冷房部ＩＣ１及び第２冷房部ＩＣ２へ供給される冷水温度を５度差以上とするように、電動熱移送システムＥＨＰと熱動熱移送システムＡＣＳとを駆動する。図２３に示す例では、第１冷房部ＩＣ１へ供給される冷水温度を５度とし、第２冷房部ＩＣ２へ供給される冷水温度を１５度とし、１０度差を設けるようにしている。これにより、より温度の低い第１冷房部ＩＣ１において集中的に結露が発生する。このため、第１冷房部ＩＣ１に対して、結露水を受け取り破棄するための機構を設ければよく、結露対策の容易化を図ることができる。
【００７１】
このようにして、本実施形態に係る併用システム１によれば、ハイブリッドソーラーパネルＰＶＴからの温水を電動熱移送システムＥＨＰ及び熱動熱移送システムＡＣＳの少なくとも一方に供給する１３つの運転モードのうち、いずれか１つをハイブリッドソーラーパネルＰＶＴからの温水温度に応じて自動選択する。このため、ハイブリッドソーラーパネルＰＶＴからの温水温度に応じた１３つの運転モードから、適切なものが選択可能となり、電力又は動力と、熱エネルギーとを供給することができるハイブリッドソーラーパネルＰＶＴを備える場合において、供給される熱エネルギーの温度変動に応じた制御を実行することができる。
【００７２】
また、１３つの運転モードのうち（少なくとも１つ）は、電動熱移送システムＥＨＰと熱動熱移送システムＡＣＳとの間において、熱エネルギーの授受を行うモードであるため、例えば電動熱移送システムＥＨＰの温熱供給部ＨＳＥにて生成した熱エネルギーを熱動熱移送システムＡＣＳの駆動熱として供給したり、熱動熱移送システムＡＣＳにおいて冷水を得る過程で生成した温水を電動熱移送システムＥＨＰの冷熱供給部ＣＳＥに供給したりすることができ、電動及び熱動熱移送システムＥＨＰ，ＡＣＳの双方を利用した効果的な運転を行うことができる。
【００７３】
また、電動熱移送システムＥＨＰの冷熱供給部ＣＳＥに冷水が流れる場合の接続先、電動熱移送システムＥＨＰの温熱供給部ＨＳＥに冷水が流れる場合の接続先、熱動熱移送システムＡＣＳの冷熱供給部ＣＳＡに冷水が流れる場合の接続先、及び、熱動熱移送システムＡＣＳの温熱供給部ＨＳＡに冷水が流れる場合の接続先を様々とでき、様々な運転モードを実現することができる。
【００７４】
さらに、室内ユニットＩＣが第１及び第２冷房部ＩＣ１，ＩＣ２を備える場合に、それぞれの冷水温度を５度差以上とするため、冷房時に発生する結露は第１及び第２冷房部ＩＣ１，ＩＣ２のうち低温側に生じることとなり、低温側のみに結露水を室外等に破棄する機構を設ければよく、結露対策の容易化を図ることができる。
【００７５】
さらに、室温センサＴ１、エネルギー温度センサＴ２、及び大気温センサＴ３の検出結果と、ハイブリッドソーラーパネルＰＶＴにより生成させられた電力量とに基づいて、１３つの運転モードから、いずれか１つを自動選択するため、第２エネルギーの温度のみならず、室温目標となる設定温度と室温との差、大気を利用した集熱や放熱の効率、及び、余剰とする電力量などを考慮して運転モードを選択することができ、より効果的な運転に寄与することができる。
【００７６】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。さらに、可能な範囲で公知又は周知の技術を組み合わせてもよい。
【００７７】
図２４は、変形例に係る併用システム１を示す構成図である。図２４に示すように、併用システム１は、貯湯槽ＨＷＴを更に備えており、集熱パネルＨＣにて加熱された熱媒によって貯湯槽ＨＷＴ内の湯水を加熱する構成となっている。また、変形例において第１配管Ｒ１の端部は貯湯槽ＨＷＴの上部に接続されていると共に、第８配管Ｒ８の端部は貯湯槽ＨＷＴの下部に接続されている。第１配管Ｒ１には、貯湯槽ＨＷＴ上部の温水が供給される。このような構成であっても、直接集熱パネルＨＣから温水供給される場合と同様に、貯湯槽ＨＷＴから温水温度も変動するため、上記と同様に各運転モードを実行することができる。
【００７８】
さらに、上記実施形態において各温度は上記した数値に限らず、適宜変更可能であることはいうまでもない。
【００７９】
加えて、上記実施形態では、併給システムからの熱エネルギーの供給が熱媒（不凍液）により行われているが、これに限らず、併給システムと熱動熱移送システムＡＣＳとが一体となって熱エネルギーが再生器の溶液を直接加熱する構成であってもよいし、熱エネルギーを伝達する熱導体が再生器等まで延びていてもよい。
【符号の説明】
【００８０】
１        ：併用システム
ＰＶＴ      ：ハイブリッドソーラーパネル（併給システム）
ＳＣ      ：太陽電池
ＨＣ      ：集熱パネル
ＰＣ      ：パワーコントローラー
ＳＷＢＤ  ：配電盤
ＥＨＰ    ：電動熱移送システム（第１熱移送システム）
Ｍ        ：モータ
ＣＳＥ    ：冷熱供給部
ＨＳＥ    ：温熱供給部
ＡＣＳ    ：熱動熱移送システム（第２熱移送システム）
ＤＨＰ    ：駆動熱受領部
ＣＳＡ    ：冷熱供給部
ＨＳＡ    ：温熱供給部
ＩＣ      ：室内ユニット
ＩＣ１    ：第１冷房部
ＩＣ２    ：第２冷房部
ＯＲ      ：屋外ラジエータ
Ｃ        ：制御部
Ｃ１      ：選択制御部
Ｃ２      ：運転制御部
Ｐ１〜Ｐ５      ：搬送ポンプ
Ｒ１〜Ｒ４０      ：配管
Ｖ１〜Ｖ２２      ：電磁方向弁
Ｔ１      ：室温センサ
Ｔ２      ：エネルギー温度センサ
Ｔ３      ：大気温センサ
ＨＷＴ    ：貯湯槽
【図１】
2018004110.tif 000003
【図２】
2018004110.tif 000004
【図３】
2018004110.tif 000005
【図４】
2018004110.tif 000006
【図５】
2018004110.tif 000007
【図６】
2018004110.tif 000008
【図７】
2018004110.tif 000009
【図８】
2018004110.tif 000010
【図９】
2018004110.tif 000011
【図１０】
2018004110.tif 000012
【図１１】
2018004110.tif 000013
【図１２】
2018004110.tif 000014
【図１３】
2018004110.tif 000015
【図１４】
2018004110.tif 000016
【図１５】
2018004110.tif 000017
【図１６】
2018004110.tif 000018
【図１７】
2018004110.tif 000019
【図１８】
2018004110.tif 000020
【図１９】
2018004110.tif 000021
【図２０】
2018004110.tif 000022
【図２１】
2018004110.tif 000023
【図２２】
2018004110.tif 000024
【図２３】
2018004110.tif 000025
【図２４】
2018004110.tif 000026
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
電気又は動力からなる第１エネルギーを供給すると共に温度変動する熱エネルギーである第２エネルギーを供給する併給システムと、
前記併給システムから第１エネルギーの供給を受けて駆動し、冷熱供給部から温熱供給部へ熱移送させる第１熱移送システムと、
前記併給システムから供給される前記第２エネルギー及び前記第１熱移送システムの温熱供給部の熱のなかから選択された一方又は双方を駆動熱として受領して冷熱供給部から温熱供給部へ熱移送させる第２熱移送システムと、
前記併給システムからの第２エネルギーを前記第１熱移送システム及び前記第２熱移送システムの少なくとも一方に供給する少なくとも３つの運転モードのうち、いずれか１つを第２エネルギーの温度に応じて自動選択する選択制御部と、
前記選択制御部により自動選択された運転モードに応じた運転を実行させる運転制御部と、
を備えることを特徴とする併用システム。
【請求項２】
前記少なくとも３つの運転モードのうち少なくとも１つは、前記第１熱移送システムと前記第２熱移送システムとの間において、熱エネルギーの授受を行うモードである
ことを特徴とする請求項１に記載の併用システム。
【請求項３】
前記少なくとも３つの運転モードには、前記第１熱移送システムの冷熱供給部の液体が冷房に使用される場合、当該冷熱供給部の液体を大気との熱交換により昇温させる場合、当該冷熱供給部の液体を前記併給システム側に供給して昇温させる場合、及び、当該冷熱供給部の液体を前記第２熱移送システムに供給して昇温させる場合の４つのうち、少なくとも２つの場合が含まれている
ことを特徴とする請求項１又は請求項２のいずれかに記載の併用システム。
【請求項４】
前記少なくとも３つの運転モードには、前記第１熱移送システムの温熱供給部の液体が暖房に使用される場合、当該温熱供給部の液体を前記第２熱移送システムの駆動熱受領部に供給する場合、当該温熱供給部の液体を前記第２熱移送システムの低温熱源として供給する場合、当該温熱供給部の液体を前記併給システム側に供給する場合、及び当該温熱供給部の液体を大気との熱交換により降温させる場合の５つのうち、少なくとも２つの場合が含まれている
ことを特徴とする請求項１又は請求項２のいずれかに記載の併用システム。
【請求項５】
前記少なくとも３つの運転モードには、前記第２熱移送システムの冷熱供給部の液体が冷房に使用される場合、当該冷熱供給部の液体を大気との熱交換により昇温させる場合、当該冷熱供給部の液体を前記併給システム側に供給して昇温させる場合、及び、当該冷熱供給部の液体を前記第１熱移送システムに供給して昇温させる場合の４つのうち、少なくとも２つの場合が含まれている
ことを特徴とする請求項１又は請求項２のいずれかに記載の併用システム。
【請求項６】
前記少なくとも３つの運転モードには、前記第２熱移送システムの温熱供給部の液体が暖房に使用される場合、当該温熱供給部の液体を前記第１熱移送システムの冷熱供給部に供給する場合、当該温熱供給部の液体を前記併給システム側に供給する場合、及び当該温熱供給部の液体を大気との熱交換により降温させる場合の４つのうち、少なくとも２つの場合が含まれている
ことを特徴とする請求項１又は請求項２のいずれかに記載の併用システム。
【請求項７】
前記第１熱移送システムの冷熱供給部の液体を冷房に利用する第１冷房部と、前記第２熱移送システムの冷熱供給部の液体を冷房に利用する第２冷房部とを有した室内ユニットを更に備え、
前記少なくとも３つの運転モードには、前記室内ユニットのうち前記第１及び第２冷房部の液体温度を５度差以上とする運転モードを含む
ことを特徴とする請求項１から請求項６のいずれか１項に記載の併用システム。
【請求項８】
室温を検出するための室温センサと、
前記第２エネルギーの温度を検出するためのエネルギー温度センサと、
気温を検出するための大気温センサと、を更に備え、
前記併給システムは、電気からなる第１エネルギーを生成して供給するものであり、
前記選択制御部は、前記室温センサ、前記エネルギー温度センサ、及び前記大気温センサの検出結果と、前記併給システムにより生成された電力量とに基づいて、前記少なくとも３つの運転モードから、いずれか１つを自動選択する
ことを特徴とする請求項１から請求項７のいずれか１項に記載の併用システム。
【請求項９】
前記併給システムは、太陽光を利用して電気を生成のうえ供給すると共に太陽熱により熱媒を加熱して供給するハイブリッドソーラーパネルである
ことを特徴とする請求項１から請求項８のいずれか１項に記載の併用システム。
【手続補正２】
【補正対象書類名】明細書
【補正対象項目名】０００９
【補正方法】変更
【補正の内容】
【０００９】
本発明の併用システムは、併給システムと、第１熱移送システムと、第２熱移送システムと、選択制御部とを備えている。併給システムは、電気又は動力からなる第１エネルギーを供給すると共に温度変動する熱エネルギーである第２エネルギーを供給する。第１熱移送システムは併給システムから第１エネルギーの供給を受けて駆動し、冷熱供給部から温熱供給部へ熱移送させる。第２熱移送システムは併給システムから供給される第２エネルギー及び第１熱移送システムの温熱供給部の熱のなかから選択された一方又は双方を駆動熱として受領して冷熱供給部から温熱供給部へ熱移送させる。選択制御部は、併給システムからの第２エネルギーを第１熱移送システム及び第２熱移送システムの少なくとも一方に供給する少なくとも３つの運転モードのうち、いずれか１つを第２エネルギーの温度に応じて自動選択する。
【手続補正３】
【補正対象書類名】明細書
【補正対象項目名】００４６
【補正方法】変更
【補正の内容】
【００４６】
図８は、第６運転モードにおける熱媒、温水及び冷水の流れを示す状態図である。図８に示すように、第６運転モードでは、電動熱移送システムＥＨＰのみが運転しており、冷熱供給部ＣＳＥの冷水が室内ユニットＩＣに供給されて冷房に利用されている。一方、電動熱移送システムＥＨＰの温熱供給部ＨＳＥの温水は、屋外ラジエータＯＲに供給されて放熱される。この第６運転モードは、電動熱移送システムＥＨＰのみの運転によって冷房を行いつつも、電動熱移送システムＥＨＰの温熱供給部ＨＳＥの温水温度を図７に示す第５運転モードよりも昇温させずに電力消費を抑えることができる。第６運転モードにおける各部位の液体温度は図１０に示す通りである。
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
電気又は動力からなる第１エネルギーを供給すると共に温度変動する熱エネルギーである第２エネルギーを供給する併給システムと、
前記併給システムから第１エネルギーの供給を受けて駆動し、冷熱供給部から温熱供給部へ熱移送させる第１熱移送システムと、
前記併給システムから供給される前記第２エネルギー及び前記第１熱移送システムの温熱供給部の熱のなかから選択された一方又は双方を駆動熱として受領して冷熱供給部から温熱供給部へ熱移送させる第２熱移送システムと、
前記併給システムからの第２エネルギーを前記第１熱移送システム及び前記第２熱移送システムの少なくとも一方に供給する少なくとも３つの運転モードのうち、いずれか１つを第２エネルギーの温度に応じて自動選択する選択制御部と、
前記選択制御部により自動選択された運転モードに応じた運転を実行させる運転制御部と、を備え、
前記少なくとも３つの運転モードは、冷房運転時及び暖房運転時のそれぞれにおいて設定されるものであり、
冷房運転時の前記少なくとも３つの運転モード、及び、暖房運転時の前記少なくとも３つの運転モードは、それぞれ前記第１熱移送システムの温熱供給部の熱を前記駆動熱として受領するモードを含む
ことを特徴とする併用システム。
【請求項２】
前記少なくとも３つの運転モードのうち少なくとも１つは、前記第１熱移送システムと前記第２熱移送システムとの間において、熱エネルギーの授受を行うモードである
ことを特徴とする請求項１に記載の併用システム。
【請求項３】
前記少なくとも３つの運転モードには、前記第１熱移送システムの冷熱供給部の液体が冷房に使用される場合、当該冷熱供給部の液体を大気との熱交換により昇温させる場合、当該冷熱供給部の液体を前記併給システム側に供給して昇温させる場合、及び、当該冷熱供給部の液体を前記第２熱移送システムに供給して昇温させる場合の４つのうち、少なくとも２つの場合が含まれている
ことを特徴とする請求項１又は請求項２のいずれかに記載の併用システム。
【請求項４】
前記少なくとも３つの運転モードには、前記第１熱移送システムの温熱供給部の液体が暖房に使用される場合、当該温熱供給部の液体を前記第２熱移送システムの駆動熱受領部に供給する場合、当該温熱供給部の液体を前記第２熱移送システムの低温熱源として供給する場合、当該温熱供給部の液体を前記併給システム側に供給する場合、及び当該温熱供給部の液体を大気との熱交換により降温させる場合の５つのうち、少なくとも２つの場合が含まれている
ことを特徴とする請求項１又は請求項２のいずれかに記載の併用システム。
【請求項５】
前記少なくとも３つの運転モードには、前記第２熱移送システムの冷熱供給部の液体が冷房に使用される場合、当該冷熱供給部の液体を大気との熱交換により昇温させる場合、当該冷熱供給部の液体を前記併給システム側に供給して昇温させる場合、及び、当該冷熱供給部の液体を前記第１熱移送システムに供給して昇温させる場合の４つのうち、少なくとも２つの場合が含まれている
ことを特徴とする請求項１又は請求項２のいずれかに記載の併用システム。
【請求項６】
前記少なくとも３つの運転モードには、前記第２熱移送システムの温熱供給部の液体が暖房に使用される場合、当該温熱供給部の液体を前記第１熱移送システムの冷熱供給部に供給する場合、当該温熱供給部の液体を前記併給システム側に供給する場合、及び当該温熱供給部の液体を大気との熱交換により降温させる場合の４つのうち、少なくとも２つの場合が含まれている
ことを特徴とする請求項１又は請求項２のいずれかに記載の併用システム。
【請求項７】
前記第１熱移送システムの冷熱供給部の液体を冷房に利用する第１冷房部と、前記第２熱移送システムの冷熱供給部の液体を冷房に利用する第２冷房部とを有した室内ユニットを更に備え、
前記少なくとも３つの運転モードには、前記室内ユニットのうち前記第１及び第２冷房部の液体温度を５度差以上とする運転モードを含む
ことを特徴とする請求項１から請求項６のいずれか１項に記載の併用システム。
【請求項８】
室温を検出するための室温センサと、
前記第２エネルギーの温度を検出するためのエネルギー温度センサと、
気温を検出するための大気温センサと、を更に備え、
前記併給システムは、電気からなる第１エネルギーを生成して供給するものであり、
前記選択制御部は、前記室温センサ、前記エネルギー温度センサ、及び前記大気温センサの検出結果と、前記併給システムにより生成された電力量とに基づいて、前記少なくとも３つの運転モードから、いずれか１つを自動選択する
ことを特徴とする請求項１から請求項７のいずれか１項に記載の併用システム。
【請求項９】
前記併給システムは、太陽光を利用して電気を生成のうえ供給すると共に太陽熱により熱媒を加熱して供給するハイブリッドソーラーパネルである
ことを特徴とする請求項１から請求項８のいずれか１項に記載の併用システム。
【手続補正２】
【補正対象書類名】明細書
【補正対象項目名】０００９
【補正方法】変更
【補正の内容】
【０００９】
本発明の併用システムは、併給システムと、第１熱移送システムと、第２熱移送システムと、選択制御部とを備えている。併給システムは、電気又は動力からなる第１エネルギーを供給すると共に温度変動する熱エネルギーである第２エネルギーを供給する。第１熱移送システムは併給システムから第１エネルギーの供給を受けて駆動し、冷熱供給部から温熱供給部へ熱移送させる。第２熱移送システムは併給システムから供給される第２エネルギー及び第１熱移送システムの温熱供給部の熱のなかから選択された一方又は双方を駆動熱として受領して冷熱供給部から温熱供給部へ熱移送させる。選択制御部は、併給システムからの第２エネルギーを第１熱移送システム及び第２熱移送システムの少なくとも一方に供給する少なくとも３つの運転モードのうち、いずれか１つを第２エネルギーの温度に応じて自動選択する。さらに、少なくとも３つの運転モードは、冷房運転時及び暖房運転時のそれぞれにおいて設定されるものであり、冷房運転時の少なくとも３つの運転モード、及び、暖房運転時の少なくとも３つの運転モードは、それぞれ第１熱移送システムの温熱供給部の熱を駆動熱として受領するモードを含む。